(57)【要約】【課題】デジタルカメラ等の撮像装置の操作性の向上を図りつつ、モニター画面の大型化を可能にすることである。【解決手段】デジタルカメラ本体２のフラッシュ釦６ａ、マクロ釦６ｂ、タイマー釦６ｃ、レビュー釦６ｄ等の十字配列キーと称されるコントロール釦６等の大きな占有面積を占める操作釦を、モニター部であるデジタルカメラ本体２のモニター画面４が配置され正面２ａとは反対側の背面２ｂ側へ移設したデジタルカメラ。【選択図】図１
2007189299.tif 000002
【特許請求の範囲】
【請求項１】
撮像レンズと、
撮像レンズで撮影される画像がモニター画面に表示されるモニター部と、
前記モニター部の前記モニター画面とは反対側の面に付設された操作部とを備え、
前記操作部の操作によって、該操作部の操作情報が前記モニター画面内に表示されるように構成されている
ことを特徴とする撮像装置。
【請求項２】
前記モニター画面に表示される前記操作情報は、前記モニター画面内の前記操作部のほぼ真後の位置に表示される
ことを特徴とする請求項１に記載の撮像装置。
【請求項３】
前記モニター画面に表示される前記操作情報は、前記モニター画面の隅の位置に表示される
ことを特徴とする請求項１に記載の撮像装置。
【請求項４】
前記操作部は、１回目の操作によって該操作部の画像や文字が前記モニター部に表示され、２回目の操作によって該操作部による操作機能が確定されるように構成されている
ことを特徴とする請求項１に記載の撮像装置。
【請求項５】
前記操作部は、１回目の操作によって該操作部の画像や文字が前記モニター部に表示され、２回目の操作によって該操作部の画像を前記モニター部に表示したまま、該操作部による操作機能を確定されるように構成されている
ことを特徴とする請求項１に記載の撮像装置。
【請求項６】
前記操作部が操作釦に構成され、浅く押されることにより１回目の操作がなされ、深く押されることにより２回目の操作がなされる
ことを特徴とする請求項４又は請求項５に記載の撮像装置。
【請求項７】
前記操作部がタッチ式釦に構成され、最初のタッチにより１回目の操作がなされ、次のタッチにより２回目の操作がなされる
ことを特徴とする請求項４又は請求項５に記載の撮像装置。
【請求項８】
前記モニター部に表示される前記操作部の画像や文字は、前記操作部の１回目の操作によって薄い色で表示され、前記操作部の２回目の操作によって濃い色で表示される
ことを特徴とする請求項４又は請求項５に記載の撮像装置。
【請求項９】
前記モニター部に表示される前記操作部の画像や文字は、前記操作部の１回目の操作によって所定の色で表示され、前記操作部の２回目の操作によって前記所定の色とは異なる色で表示される
ことを特徴とする請求項４又は請求項５に記載の撮像装置。
【請求項１０】
前記モニター部に表示される前記操作部の画像や文字は、前記操作部の１回目の操作によって大きく表示され、前記操作部の２回目の操作によって小さく表示される
ことを特徴とする請求項４又は請求項５に記載の撮像装置。
【請求項１１】
前記モニター部に表示される前記操作部の画像や文字は、前記操作部の１回目の操作によって小さく表示され、前記操作部の２回目の操作によって大きく表示される
ことを特徴とする請求項４又は請求項５に記載の撮像装置。
【請求項１２】
前記操作部の操作によって前記モニター画面内に表示される操作情報は、該モニター画面内の隅に表示される
ことを特徴とする請求項１に記載の撮像装置。
【請求項１３】
撮像レンズが正面に付設された撮像装置本体の背面に前記モニター画面が付設されて、該撮像装置本体が前記モニター部に構成され、
該撮像装置本体の正面に前記操作部が付設されている
ことを特徴とする請求項１に記載の撮像装置。
【請求項１４】
撮像レンズが正面に付設された撮像装置本体の側面に前記モニター部が折り畳み可能に付設され、
該モニター部の前記モニター画面とは反対側の面に前記操作部が付設されている
ことを特徴とする請求項１に記載の撮像装置。
【発明の詳細な説明】
【技術分野】
【０００１】
本発明は、デジタルカメラやビデオカメラその他の各種の撮像装置に関し、特に、モニター画面の大型化等を実現することができる撮像装置に関するものである。
【背景技術】
【０００２】
従来から、デジタルカメラやビデオカメラ等の撮像装置においては、撮影前や撮影中に、フラッシュモード、マクロモード、タイマーモード、静止画モードや動画モード等のモード切り換え、スナップモード、風影モード、夜影モード、マクロモード（近接撮影）等のモード切り換え、その他の各種のモード切り換えが行われている。
近年は、モニター部に付設された液晶モニター等のモニター画面に上記の各種のモードを表示できるように構成された撮像装置が主流となっている。
そして、押釦やスライド釦等の操作部の操作によってモニター画面に各種のモードを表示する方式と、タッチパネルを指先やタッチペン（スタイラスペン）によってモニター画面の表示モードをタッチ（接触）することにより各種のモードの切り換え等を行う方式の２通りがある。
【０００３】
その際、モニター部のモニター画面の横位置等に各種のモード切り換え用等の多数の押釦を設置する構造では、モニター画面の大きさが制約されるために、モニター画面の大型化が阻害される。
また、各種のモード切り換えは、モニター画面に表示される撮影画像を見ながら行うのが最も好ましいが、モニター部のモニター画面の横位置等に各種のモード切り換え用等の多数の押釦を設置する構造では、モード切り換えを行う際に、撮影者はモニター画面に写し出されている撮影画像から一度目を完全に逸して（いわゆる、目切り動作）、押釦側を注視しなければならないことから、撮影対象に対する集中力を欠き易く、撮影ミスを招いたり、撮影のタイミングを逃してしまう等の問題がある。
特に、モニター画面に表示される各種のモードを指先やタッチペンによってタッチする方式は、高い集中力が要求されることから、モニター画面の大型化に有利ではある反面、撮影画像から一度目を完全に逸してしまう目切り動作になりがちで、撮影画像から目を完全に逸してしまい易い。また、モニター画面が指先やタッチペンによって汚れ易い等の問題もある。
【特許文献１】特開２００１−０５３９９５号公報
【特許文献２】特開２００３−２３４９３４号公報
【発明の開示】
【発明が解決しようとする課題】
【０００４】
本発明が解決しようとする課題は、操作性の向上を図りつつ、モニター画面の大型化を可能にすることである。
【課題を解決するための手段】
【０００５】
本発明の撮像装置は、撮像レンズと、少なくとも撮像レンズで撮影される画像がモニター画面に表示されるモニター部と、前記モニター部の前記モニター画面とは反対側の面に付設された１個又は複数個の操作部とを備え、操作部の操作によって、該操作部の操作情報が前記モニター画面内に表示されるように構成されていることを主要な特徴とするものである。
【発明の効果】
【０００６】
本発明の撮像装置は、モニター部のモニター画面とは反対側の面に付設された操作部の操作によってモニター画面内に各種の操作情報を表示するので、操作性の向上を図りつつ、モニター画面の大型化を可能にすることができる。
【実施例１】
【０００７】
以下、本発明の撮像装置をデジタルカメラに適用した実施例１を図１〜図４によって説明する。
始めに、図１及び図２に示すように、このデジタルカメラ１は、モニター部が撮像装置本体に相当するデジタルカメラ本体２で構成されている。従って、以下、モニター部をデジタルカメラ本体２と記載する。
このデジタルカメラ本体２は正面形状がほぼ矩形状で、薄型構造に構成されている。そして、このデジタルカメラ本体２の正面２ａの上端側及び右側に偏った位置に撮像レンズ３が付設されていて、このデジタルカメラ本体２の背面２ｂには、矩形状のモニター画面４が付設されている。このモニター画面４は背面２ｂのほぼ前面を占有する大画面に形成されている。
【０００８】
そして、デジタルカメラ本体２の正面２ａには、複数の操作部である複数の操作釦が付設されている。
ここでは、複数の操作釦の一例として、例えば、通称、十字配列キーと称されるコントロール釦６、静止・動画のモード切り換え及び再生を行うためのモード釦７、ズーム釦８等が採用されている。
コントロール釦６は、十状に配列されたフラッシュ釦６ａ、マクロ釦６ｂ、タイマー釦６ｃ及びレビュー釦６ｄと、これらの中央部に配置された決定釦６ｅによって構成されている。
そして、これらのコントロール釦６は、デジタルカメラ本体２の正面２ａで、例えば、上端側及び左側に偏った位置に配置されている。
【０００９】
また、モード釦７とズーム釦８は、デジタルカメラ本体２の正面２ａの上端側で、コントロール釦６と撮像レンズ３との間の位置や、コントロール釦６の下側位置、その他の位置等に上下等に並べられる等して配置されている。
なお、デジタルカメラ本体２の上端面２ｃで、やはり、左側へ偏った位置には、シャッター釦９やパワー釦１０が付設されている。また、デジタルカメラ本体２の一側部には、リストストラップ取付部１１も付設されている。
更に、デジタルカメラ本体２の正面２ａには、撮像レンズ３、コントロール釦６、モード釦７、ズーム釦８等を開閉するレンズカバー１２が付設されていて、このレンズカバー１２は、例えば、デジタルカメラ本体２の正面２ａに沿って、上下方向である矢印ａ方向へスライド（開閉）自在に構成されている。
【００１０】
以上のように構成されたデジタルカメラ１によれば、撮影時に、パワー釦１０をＯＮした状態で、両手や片手でデジタルカメラ本体２を把持するが、その際、図１及び図２に１点鎖線で示すように、右手ＲＨの人差指Ｆ１をシャッター釦９上にセットした状態で、その右手ＲＨの中指Ｆ２や薬指Ｆ３等をコントロール釦６上やモード釦７上、ズーム釦８上等に届くように配置する。
そして、モニター画面４に写し出されるモニター画像Ｍ１を見ながら、右手ＲＨの中指Ｆ２や薬指Ｆ３等によってコントロール釦６やモード釦７、ズーム釦８等を自在にする。
【００１１】
この際、コントロール釦６については、フラッシュ釦６ａ、マクロ釦６ｂ、タイマー釦６ｃの何れか１つの釦を操作した瞬間に、その１つの釦に対応するフラッシュモード、マクロモード、タイマーモード等の内の何れか１つの操作情報（操作機能）を表す図形等の画像Ｍ２がモニター画面４内に、一度大きく、かつ、濃い色の画像Ｍ２として表示された後に、小さく、かつ、薄い色の画像Ｍ２に変化してそのまま表示 される。
そして、フラッシュ釦６ａ、マクロ釦６ｂ、タイマー釦６ｃ等の何れか１つの釦を操作した後に、決定釦６ａをやはり中指Ｆ２や薬指Ｆ３等によって操作することにより、フラッシュモード、マクロモード、タイマーモード等の先に選択されたモードである操作情報（操作機能）が確定され、その選択されたモードの図形字等の画像Ｍ２がそのままモニター画面４内の隅の位置に残される。
【００１２】
この際、フラッシュモード、マクロモード、タイマーモード等の操作情報（操作機能）を表す図形等の画像Ｍ２は、できるだけモニター画像Ｍ１に重なり難いモニター画面４の隅の位置にあって、かつ、デジタルカメラ本体２の正面２ａに配置されているコントロール釦６のフラッシュ釦６ａ、マクロ釦６ｂ、タイマー釦６ｃ等のほぼ真後に対応する位置（フラッシュ釦６ａ、マクロ釦６ｂ、タイマー釦６ｃと同じ位置）に表示されることが最も好ましい。
【００１３】
同様にして、モニター画面４に写し出されるモニター画像Ｍ１を見ながら、右手ＲＨの中指Ｆ２や薬指Ｆ３等によってモード釦７やズーム釦８等を自在に操作する。すると、これらやモード釦７、ズーム釦８等によって選択或いは制御された操作情報（操作機能）を表す静止画・動画やズームイン・ズームアウト等を表示する図形や文字等の画像Ｍ３がモニター画面４に写し出される。
【００１４】
この際、静止画・動画やズームイン・ズームアウト等を表示する図形や文字等の画像Ｍ３についても、できるだけモニター画像Ｍ１に重なり難いモニター画面４の隅の位置に表示されることが好ましいが、必ずしも、これらの画像Ｍ３はコントロール釦６と同じように、モード釦７やズーム釦８等のほぼ真後に対応させる必要はなく、モニター画面４の隅の任意の位置に配置することが可能である。
【００１５】
この間、撮影者は、モニター画面４に写し出されているモニター画像Ｍ１を見ながら、選択された各モード等の図形や文字等の画像Ｍ２やＭ３等を同時に確認することができる。
換言すれば、撮影者は、モニター画像Ｍ１に対する目切りする（モニター画像Ｍ１から目を離すこと）ことなく、各モード等の図形や文字等の画像Ｍ２やＭ３等を確認することができる。
従って、各モード等の選択後に、シャッター釦９を右手の人差指Ｆ１で素早く押すことにより、撮影タイミングを逃すことなく、正確な撮影を素早く行うことができる。
また、フラッシュモード、マクロモード、タイマーモード設定等の各モード等を確認しないまま撮影してしまうような、誤動作も未然に防止することができる。
【００１６】
しかも、十字配列キー等の大きな設置スペースを必要とするコントロール釦６をデジタルカメラ本体２のモニター画面４が設置される背面２ｂからモニター画面４の反対側である正面２ａへ移設したことにより、その背面２ｂの有効面積が拡大される。従って、その背面２ｂの有効面積を最大限に活用して、モニター画面４の大画面化を実現することができる。
そして、モニター画面４の大型化は、特に、人物等の集合写真の撮影時に、個々の人物等の表情の確認が容易となり、綺麗な写真を撮ることが可能である。また、パーティ等において、撮った写真を大勢で見回しする際等に、非常に楽しいものとなる。
【００１７】
また、十字配列のフラッシュモード、マクロモード、タイマーモード等の操作情報（操作機能）を表す図形等の画像Ｍ２がデジタルカメラ本体２の正面２ａに配置されているコントロール釦６のフラッシュ釦６ａ、マクロ釦６ｂ、タイマー釦６ｃ等のほぼ真後に対応する位置（フラッシュ釦６ａ、マクロ釦６ｂ、タイマー釦６ｃと同じ位置）に表示されるように構成することにより、モニター画面４に写し出される十字配列のモニター画像Ｍ２を見ながら、右手ＲＨの中指Ｆ２や薬指Ｆ３等によってコントロール釦６のフラッシュ釦６ａ、マクロ釦６ｂ、タイマー釦６ｃ等を操作する際の操作性が一段と向上する。  従って、撮影者の視線がモニター画面４に写し出されているモニター画像Ｍ１から外れ難くなり、撮影のタイミングを逃すことがない、正確で、素早い撮影が可能となる。
【００１８】
なお、レンズカバー１２は、撮影後に、図１、図２に実線で示す開放位置から１点鎖線で示す閉塞位置へスライドされて、ロックされ、撮像レンズ３、コントロール釦６、モード釦７、ズーム釦８等を同時に閉塞することができ、携帯時の安全性が高い。
【００１９】
次に、図３、図４によって、この実施例１におけるデジタルカメラ１の駆動回路とフローチャートについて述べる。
図３に示す駆動回路よれば、撮像レンズ３の撮像素子１４によって撮影された撮影画像がカメラ信号処理部１５で処理され、画像信号処理部１７で処理されて、回路モニター駆動部１８によってモニター画面４に前述したモニター画像Ｍ１として表示すると共に、内蔵メモリ１９や記録媒体２０に記録され、更には、ＩＮ／ＯＵＴ端子２１を介して他の機器へ電送される。
一方、操作釦６ａ〜６ｄ、７、８等の操作部２２等によって操作された操作情報はシス
テム回路２３を通じて画像信号処理部１７で処理され、回路モニター駆動部１８によってモニター画面４に画像Ｍ２、Ｍ３として表示されると同時に、内蔵メモリ１９等に記録されるように構成されている。
【００２０】
次に、図４のフローチャート図によって、コントロール釦６、モード釦７、ズーム釦８の等の釦Ａが押し釦である場合のデジタルカメラ１の撮影操作を説明する。
パワースイッチ１０のＯＮによりスタートとなり、始めに、釦Ａが触れられたか否かが判別される（００１）。
ＮＯであればそのまま巡回し、ＹＥＳであれば、釦Ａの機能と共に、釦Ａの図形や文字等の画像、換言すれば、釦Ａ自体をモニター画面４に濃く表示する（００２）。
次に、釦Ａが押されたか否かが判別（００３）され、ＹＥＳであれば、その釦Ａの図形や文字等の画像を薄く表示したまま、その釦Ａの機能をそのまま実行して（００４）して、エンドとなる。
一方、釦Ａが押されたか否かの判別（００３）がＮＯであれば、釦Ａが触れられているか否かが再度判別（００５）され、ＹＥＳであれば、釦Ａの触れられたか否かのＹＥＳへ巡回し、ＮＯであれば、所定の時間（例えば、１〜３秒）経過後に、モニター画面４に表示されている釦Ａの図形や文字等を消去（００６）して、スタートへ巡回する。
なお、釦Ａが触れられているか否かが判別（００５）されて、ＮＯであれば、所定の時間（１〜３秒）が経過するのを待つことなく、直ちに、モニター画面４に表示されている釦Ａの図形や文字等を消去することもできる。
【００２１】
ところで、この実施例１においては、デジタルカメラ本体２の正面２ａに付設されている操作部であるコントロール釦６、モード釦７、ズーム釦８等の操作釦（以下、操作釦６ａ〜６ｄ、７、８と記載する。）等については、１回目の操作にによって操作情報である図形や文字等の画像Ｍ２、Ｍ３がモニター画面４に表示され、２回目の操作によってその操作釦６ａ〜６ｄ、７、８等の操作機能が確定されるように構成することができる。
この際、操作釦６ａ〜６ｂ、７、８等は、１回目の操作によって該操作釦６ａ〜６ｄ、７、８等の操作情報である図形や文字等の画像Ｍ２、Ｍ３が前記モニター画面４に表示され、２回目の操作によって該操作釦６ａ〜６ｄ、７、８等の操作情報である図形や文字等の画像Ｍ２、Ｍ３を前記モニター画面４に表示したまま、該操作釦６ａ〜６ｄ、７、８等による操作機能が確定されるように構成することもできる。
【００２２】
また、操作釦６ａ〜６ｄ、７、８等が浅く押されることにより１回目の操作がなされ、深く押されることにより２回目の操作がなされるように構成することもできる。
また、操作釦６ａ〜６ｄ、７、８等は、タッチ式釦に構成して、最初のタッチにより１回目の操作がなされ、次のタッチにより２回目の操作がなされるように構成することもできる。
また、モニター画面４に表示される操作情報である図形や文字等の画像Ｍ２、Ｍ３は、操作釦６ａ〜６ｄ、７、８等の１回目の操作によって薄い色で表示され、２回目の操作によって濃い色で表示されるように構成することもできる。
また、モニター画面４に表示される操作情報である図形や文字等の画像Ｍ２、Ｍ３は、操作釦６ａ〜６ｄ、７、８等の１回目の操作によって所定の色で表示され、操作釦６ａ〜６ｄ、７、８等の２回目の操作によって所定の色とは異なる色で表示されるように構成することもできる。
また、モニター画面４に表示される操作情報である図形や文字等の画像Ｍ２、Ｍ３は、操作釦６ａ〜６ｄ、７、８等の１回目の操作によって大きく表示され、操作釦６ａ〜６ｄ、７、８等の２回目の操作によって小さく表示されるように構成することもできる。
また、モニター画面４に表示される操作情報である図形や文字等の画像Ｍ２、Ｍ３は、操作釦６ａ〜６ｄ、７、８等の１回目の操作によって小さく表示され、操作釦６ａ〜６ｄ、７、８等の２回目の操作によって大きく表示されるように構成することもできる。
【実施例２】
【００２３】
次に、本発明の撮像装置をビデオカメラ（デジタルビデオカメラ）に適用した実施例２を図５及び図６によって説明する。
このビデオカメラ３１は、撮像装置本体であるビデオカメラ本体３２の正面３２ａの上端に撮像レンズ３３が付設され、そのビオカメラ本体３２の一方の側面である右側の側面３２ｂにモニター部３４がヒンジ３５によって矢印ｂ、ｃ方向で示す直角２方向へ折り畳み自在に付設されている。
そして、このモニター部３４の正面３４ａに、実施例１と同様の、複数の操作釦の一例としての、十字配列されたフラッシュ釦６ａ、マクロ釦６ｂ、タイマー釦６ｃ及びレビュー釦６ｄと、これらの中央部に配置された決定釦６ｅによって構成されているコントロール釦６や、静止・動画の切り換えを行うためのモード釦７、ズーム釦８等が付設されている。このモニター部３４の背面３４ｂに、実施例１と同様の、モニター画面３６が付設され、
【００２４】
そして、これらのコントロール釦６は、モニター部３４の正面３４ａで、例えば、上端側及び右側（撮像レンズ３３を正面から見て、その撮像レンズ３３側とは反対側）へ偏った位置に配置されている。
また、静止・動画のモード切り換え及び再生を行うためのモード釦７とズーム釦８は、モニター部３４の正面４３ａの上端側で、コントロール釦６の撮像レンズ３３側の位置や、コントロール釦６の下側位置、その他の位置等に上下等に並べられる等して配置されている。
【００２５】
そして、この実施例２では、撮影時に、ビデオカメラ本体３２を、そのビデオカメラ本体３２の他方の側面である左側の側面３２ｄに付設されているグリップ３７に通した右手ＲＨで把持し、左手ＬＨでモニター部３４を把持して、ビデオカメラ本体３２の背面３２ｃ側からモニター部３４のモニター画面３６を見るようにして、その左手ＬＨでモニター部３４を把持し、その左手ＬＨの中指Ｆ２や薬指Ｆ３等をコントロール釦６やフラッシュ釦６ａ、マクロ釦６ｂ等上に配置する。
【００２６】
そして、モニター画面４に写し出されるモニター画像Ｍ１を見ながら、左手ＨＬの中指Ｆ２や薬指Ｆ３等によってコントロール釦６のフラッシュ釦６ａ、マクロ釦６ｂ、タイマー釦６ｃ、マクロ釦６ｂ等や、或いは、モード釦７、ズーム釦８等を自在に操作するようにして、実施例１と同様に、これらの釦操作によって選択されたフラッシュモード、マクロモード、タイマーモード、静止画・動画やズームイン・ズームアウト等を等の操作情報（操作機能）を表す図形や文字等の画像Ｍ２、Ｍ３をモニター画面３６内のモニター画像Ｍ１の障害にならないような隅の位置に大きく表示する。
【００２７】
そして、実施例１と同様に、撮影者は、各モード等の選択後に、ビデオカメラ本体３２のシャッター釦３８を右手の人差し指Ｆ１で押すことにより、撮影タイミングを逃すことなく、正確な撮影を素早く行うことができる。
【００２８】
以上のように、構成された実施例２のビデオカメラ３１によれば、実施例１に示したデジタルカメラ１と同様の構成、機能を備えていることから、実施例１で記述した効果と同様の効果を奏することができる。
【実施例３】
【００２９】
次に、本発明の撮像装置をビデオカメラ（デジタルビデオカメラ）に適用した実施例３を図７及び図８によって説明する。
このビデオカメラ３１は、実施例２のビデオカメラ３１のモニター部３４とグリップ３７との位置を左右反転したものである。
即ち、撮像装置本体であるビデオカメラ本体３２の正面３２ａの上端に撮像レンズ３３が付設され、そのビオカメラ本体３２の一方の側面である左側の側面３２ｄにモニター部３４がヒンジ３５によって矢印ｂ、ｃ方向で示す直角２方向へ折り畳み自在に付設されている。また、ビデオカメラ本体３２の他方の側面である右側の側面３２ｂにグリップ３７が付設されている。
【００３０】
そして、このモニター部３４の正面３４ａで、右側(撮像レンズ３３を正面から見て、その撮像レンズ３３側とは反対側)へ偏った位置に、複数の操作釦の一例としての、十状に配列されたフラッシュ釦６ａ、マクロ釦６ｂ、タイマー釦６ｃ及びレビュー釦６ｄと、これらの中央部に配置された決定釦６ｅによって構成されているコントロール釦６や、静止・動画の切り換えを行うためのモード釦７、ズーム釦８等が、実施例２と対称状に付設されている。また、このモニター部３４の背面３４ｂにモニター画面３７が実施例２と同様に付設されている。
なお、この実施例３では、シャッター釦３８を実施例１と同様に、モニター部３４の上端面２ｃで、やはり、右側へ偏った位置に配置するのが好ましい。
【００３１】
そして、この実施例３では、撮影時に、ビデオカメラ本体３２を、そのビデオカメラ本体３２の他方の側面である右側の側面３２ｂに付設されているグリップ３７に通した左手ＲＨで把持し、ビデオカメラ本体３２の背面３２ｃ側からモニター部３４のモニター画面３６を見るようにして、その右手ＬＨでモニター部３４を把持し、その右手ＬＨの人差し指Ｆ１、中指Ｆ２や薬指Ｆ３等をコントロール釦６のフラッシュ釦６ａ、マクロ釦６ｂ、タイマー釦６ｃ等や、或いは、モード釦７、ズーム釦８等上に配置する。
【００３２】
そして、モニター画面３６に写し出されるモニター画面Ｍ１を見ながら、右手ＲＨの人差し指Ｆ１、中指Ｆ２や薬指Ｆ３等によってコントロール釦６のフラッシュ釦６ａ、マクロ釦６ｂ、タイマー釦６ｃやフラッシュ釦６ａ、マクロ釦６ｂ等や、或いは、モード釦７、ズーム釦８等を自在に操作するようにして、実施例１と同様に、これらの釦操作によって選択されたフラッシュモード、マクロモード、タイマーモード、静止画・動画やズームイン・ズームアウト等を等の操作情報（操作機能）を表す図形や文字等の画像Ｍ２、Ｍ３をモニター画面３６内のモニター画像Ｍ１の障害にならないような隅の位置に大きく表示する。
【００３３】
そして、実施例１と同様に、撮影者は、各モード等の選択後に、ビデオカメラ本体３２のシャッター釦３８を右手ＬＨの人差し指Ｆ１で押すことにより、撮影タイミングを逃すことなく、正確な撮影を素早く行うことができる。
なお、この実施例３によれば、コントロール釦６のフラッシュ釦６ａ、マクロ釦６ｂ、タイマー釦６ｃやフラッシュ釦６ａ、マクロ釦６ｂ等や、或いは、モード釦７、ズーム釦８等やシャッター釦３８等をを右手ＲＨの人差し指Ｆ１、中指Ｆ２や薬指Ｆ３等によって操作することができるので、特に、右利きの撮影者にとって非常に操作し易い特徴がある。
【００３４】
また、以上のように、構成された実施例３のビデオカメラ３１によれば、実施例１に示したデジタルカメラ１と同様の構成、機能を備えていることから、実施例１で記述した効果と同様の効果を奏することができる。
【産業上の利用可能性】
【００３５】
以上、本発明の実施例１、２に付き述べたが、本発明はこの実施例１、２に限定されることなく、本発明の技術的思想に基づいて各種の変更が可能である。
【図面の簡単な説明】
【００３６】
【図１】本発明の実施例１におけるデジタルカメラの正面側を示した斜視図である。
【図２】同上のデジタルカメラの背面側を示した斜視図である。
【図３】同上のデジタルカメラの制御回路図面である。
【図４】同上のデジタルカメラの釦操作を説明するフローチャート図である。
【図５】本発明の実施例２におけるビデオカメラの背面側を示した斜視図である。
【図６】同上のビデオカメラの正面側を示した図面である。
【図７】本発明の実施例３におけるビデオカメラの背面側を示した斜視図である。
【図８】同上のビデオカメラの正面側を示した図面である。
【符号の説明】
【００３７】
１  デジタルカメラ、    ２  デジタルカメラ本体、    ３  撮像レンズ、    ４      モニター画面、    ６  コントロール釦、    ６ａ  フラッシュ釦、    ６ｂ  マク    ロ釦、    ６ｃ  タイマー釦、    ６ｄ  レビュー釦、    ６ｅ  決定釦、    ７      モード釦、    ８  ズーム釦、  ９  シャッター釦、    １０  パワースイッチ、      １１  レンズカバー、  ３１  ビデオカメラ、  ３２  ビデオカメラ本体、  ３３      撮像レンズ、    ３４  モニター部、    ３５  ヒンジ機構、    ３８  シャッター    釦。
【図１】
2007189299.tif 000003
【図２】
2007189299.tif 000004
【図３】
2007189299.tif 000005
【図４】
2007189299.tif 000006
【図５】
2007189299.tif 000007
【図６】
2007189299.tif 000008
【図７】
2007189299.tif 000009
【図８】
2007189299.tif 000010